(57)【要約】  【課題】  クリップと接触する曲折部が大きく熱変形せず、反射板又はクリップが歪むことがなく、歪みによるきしみ音などの異音の発生を防止できる反射板及びバックライトを提供する。  【解決手段】  クリップ２０によってシャーシ３０に取付けられ、クリップ２０に一部が接触する曲折部を有する反射板１０において、曲折部のうち、クリップ２０と接触しない部分にはミシン目１４を設けるが、クリップ２０と接触する部分にはミシン目を設けずに、溝１２を設ける。【選択図】      図１
2007073374.tif 000002
【特許請求の範囲】
【請求項１】
クリップによってシャーシに取付けられ、前記クリップに一部が接触する曲折部を有する反射板において、
曲折部のうち、クリップと接触しない部分にはミシン目状の貫通孔列を設けてあり、クリップと接触する部分にはミシン目状の貫通孔列を設けていないことを特徴とする反射板。
【請求項２】
曲折部のうち、クリップと接触する部分に溝を有することを特徴とする請求項１記載の反射板。
【請求項３】
クリップによってシャーシに取付けられ、クリップに一部が接触する曲折部を有する反射板において、
曲折部に溝を有することを特徴とする反射板。
【請求項４】
平板部分と断面がくの字形部分とを交互に有することを特徴とする請求項１乃至３のいずれかひとつに記載の反射板。
【請求項５】
クリップと接触する平板部分に貫通孔が設けられていることを特徴とする請求項４記載の反射板。
【請求項６】
請求項１乃至５の何れかひとつの反射板と、蛍光管とを備え、該蛍光管からの光を前記反射板で反射するように構成してあることを特徴とするバックライト。
【発明の詳細な説明】
【技術分野】
【０００１】
本発明は、クリップによってシャーシに取付けられ、前記クリップに一部が接触する曲折部を有する反射板、及び、該反射板と蛍光管とを備えるバックライトに関する。
【背景技術】
【０００２】
液晶表示装置などのバックライトには、蛍光管からの光を液晶パネル側へ反射する反射板が用いられている（例えば、特許文献１参照）。反射板は平板状のものが多く用いられているが、反射効率を高めるために、反射板の一部を曲折させたものもある。図７は一部が曲折された反射板の例を示す斜視図である。反射板１は、上方に蛍光管が配置される平板部分１ａと、平板部分同士の間でくの字形に曲折された突出部１ｂとを有する。
【０００３】
反射板１は、突出部１ｂ及び平板部分１ａと同様の形状をしているクリップ２０によってシャーシ３０に取付けられる。詳しくは、反射板１の平板部分１ａ及びシャーシ３０には貫通孔１６が夫々位置が重なるように設けられており、クリップ２０の裏側には先端がかえし状に形成された取付突起２２が設けられており、取付突起２２を貫通孔１６に押込むことにより、クリップ２０が反射板１を間に挟むようにシャーシ３０に取付けられる。
【０００４】
反射板１は、軽量化のために例えば厚さ１ｍｍ程度の発泡ＰＥＴなどのプラスチック製のものが用いられる。プラスチック製の反射板１を折り曲げる方法としては、平板状の反射板にミシン目状の貫通孔列（以下、ミシン目という）１４を形成し、ミシン目１４に沿って折り曲げている。
【特許文献１】特許第３６５３２７２号公報
【発明の開示】
【発明が解決しようとする課題】
【０００５】
反射板１には蛍光管からの光が照射されており、熱が加えられているため、熱による変形が起こる。図８（ａ）及び（ｂ）は図７のＹ−Ｙ線切断断面図であり、図８（ａ）は熱変形が起こる前の状態を示し、図８（ｂ）は熱変形が起こった状態を示す。熱変形が起こった場合、反射板１の体積が変化し、体積変化による力がミシン目１４に加わるため、ミシン目１４の空間体積が変化する。
【０００６】
クリップ２０が取付けられている部分では、ミシン目１４の空間体積の変化はクリップ２０によって抑制される。しかし、変形しようとする力が蓄積されて大きくなった場合、ミシン目１４の空間体積が変化し、反射板１又はクリップ２０が歪み、歪みによるきしみ音などの異音が発生するという問題がある。特に蛍光管を点灯／消灯する液晶表示装置の電源オン／オフ時に異音が発生する場合が多い。
【０００７】
本発明は斯かる事情に鑑みてなされたものであり、曲折部のうち、クリップと接触しない部分にはミシン目状の貫通孔列を設けてあり、クリップと接触する部分にはミシン目状の貫通孔列を設けていないことにより、熱によるクリップ取付部分のきしみ音などの異音の発生を防止できる反射板及びバックライトを提供することを目的とする。
【０００８】
また、本発明は、曲折部のうち、クリップと接触する部分に溝を有することにより、ミシン目状の貫通孔列を設けなくても折り曲げを容易に行うことができる反射板を提供することを他の目的とする。
【０００９】
また、本発明は、曲折部に溝を有することにより、熱によるクリップ取付部分のきしみ音などの異音の発生を防止できる反射板を提供することを他の目的とする。
【００１０】
また、本発明は、平板部分と断面がくの字形部分とを交互に有することにより、蛍光管からの光を効率的に反射することが可能な反射板を提供することを他の目的とする。
【００１１】
また、本発明は、クリップと接触する平板部分に貫通孔を設けたことにより、クリップが有する突起を前記貫通孔に挿入して、反射板をシャーシに取付けることが可能な反射板を提供することを他の目的とする。
【課題を解決するための手段】
【００１２】
本発明に係る反射板は、クリップによってシャーシに取付けられ、前記クリップに一部が接触する曲折部を有する反射板において、曲折部のうち、クリップと接触しない部分にはミシン目状の貫通孔列を設けてあり、クリップと接触する部分にはミシン目状の貫通孔列を設けていないことを特徴とする。
【００１３】
本発明に係る反射板は、曲折部のうち、クリップと接触する部分に溝を有することを特徴とする。
【００１４】
本発明に係る反射板は、クリップによってシャーシに取付けられ、クリップに一部が接触する曲折部を有する反射板において、曲折部に溝を有することを特徴とする。
【００１５】
本発明に係る反射板は、平板部分と断面がくの字形部分とを交互に有することを特徴とする。
【００１６】
本発明に係る反射板は、クリップと接触する平板部分に貫通孔が設けられていることを特徴とする。
【００１７】
本発明に係るバックライトは、本発明に係る反射板と、蛍光管とを備え、該蛍光管からの光を前記反射板で反射するように構成してあることを特徴とする。
【００１８】
本発明においては、曲折部のうち、クリップと接触しない部分にはミシン目状の貫通孔列を設けているが、クリップと接触する部分にはミシン目状の貫通孔列を設けていないため、クリップと接触する曲折部は大きく熱変形せず、反射板又はクリップが歪むことはなく、歪みによるきしみ音などの異音の発生を防止できる。
【００１９】
本発明においては、曲折部のうち、クリップと接触する部分に溝を有するため、ミシン目状の貫通孔列を設けなくても前記溝に沿って折り曲げを容易に行うことができる。
【００２０】
本発明においては、曲折部に溝を有するため、クリップと接触する曲折部は大きく熱変形せず、反射板又はクリップが歪むことはなく、歪みによるきしみ音などの異音の発生を防止できる。また、ミシン目状の貫通孔列を設けなくても前記溝に沿って折り曲げを容易に行うことができる。
【００２１】
本発明においては、平板部分と断面がくの字形部分とを交互に有するため、断面がくの字形部分に挟まれた平板部分の上方に蛍光菅を配置して、蛍光管からの光を効率的に反射することが可能となる。
【００２２】
本発明においては、クリップと接触する平板部分に貫通孔を設けているため、クリップが有する突起を前記貫通孔に挿入し、挿入した突起をシャーシが有する貫通孔に嵌合させて、反射板をシャーシに取付けることが可能となる。
【発明の効果】
【００２３】
本発明によれば、クリップと接触する曲折部が大きく熱変形しないため、反射板又はクリップが歪むことがなく、歪みによるきしみ音などの異音の発生を防止できる。
【００２４】
本発明によれば、ミシン目状の貫通孔列を設けなくても折り曲げを容易に行うことができる。
【００２５】
本発明によれば、断面がくの字形部分に挟まれた平板部分の上方に蛍光菅を配置して、蛍光管からの光を効率的に反射することが可能となる。
【００２６】
本発明によれば、クリップが有する突起を前記貫通孔に挿入して、反射板をシャーシに取付けることが可能となる。
【発明を実施するための最良の形態】
【００２７】
以下、本発明をその実施の形態を示す図面に基づいて具体的に説明する。
図１は本発明に係る反射板の例を示す斜視図である。反射板１０は、上方に蛍光管が配置される平板部分１０ａと、平板部分同士の間でくの字形に曲折された突出部１０ｂとを有する。反射板１０は、突出部１０ｂ及び平板部分１０ａと同様の形状をしているクリップ２０によってシャーシ３０に取付けられる。詳しくは、反射板１０の平板部分１０ａ及びシャーシ３０には貫通孔１６が夫々位置が重なるように設けられており、クリップ２０の裏側には先端がかえし状に形成された取付突起２２が設けられており、取付突起２２を貫通孔１６に押込むことにより、クリップ２０が反射板１０を間に挟むようにシャーシ３０に取付けられる。
【００２８】
反射板１０は、軽量化のために厚さ１ｍｍ程度の発泡ＰＥＴなどのプラスチック製のものが用いられている。プラスチック製の反射板１０を折り曲げる方法としては、平板状の反射板の曲折部にミシン目状の貫通孔列（以下、ミシン目という）１４又は溝１２を形成し、ミシン目１４又は溝１２に沿って折り曲げている。溝１２は、反射板１０全体のうち、クリップ２０が取付けられる部分（クリップ２０と接触する部分）の曲折部に形成されており、ミシン目１４は、それ以外の曲折部に形成されている。
【００２９】
図２は反射板１０の要部拡大断面図であり、図２（ａ）はミシン目１４部分の断面図であり、図２（ｂ）は溝１２部分の断面図である。ミシン目１４は反射板１４を貫通しているが、溝１２は反射板１４を貫通していない。そのため、ミシン目１４の空間体積は変化することが可能であるが、溝１２の空間体積はあまり変化できない。
【００３０】
図３は反射板１０を備えるバックライトを用いた液晶表示装置の要部構成を示す模式図である。バックライトにおいては、シャーシ３０上に反射板１０が図示しないクリップ２０により取付けられ、反射板１０の平板部分１０ａ上方には蛍光管３２が配置されている。蛍光管３２は、例えばクリップ２０に支持具を設け、前記支持具によって支持することが可能である。蛍光管３２の上方には拡散板３４が配置され、更に上方には液晶パネルが配置されている。拡散板３４は、例えばクリップ２０に支持突起を設け、前記支持突起上に支持することが可能である。
【００３１】
反射板１０には蛍光管３２からの光が照射されており、熱が加わるため、熱による変形が起こる。図４（ａ）及び（ｂ）は図１のＸ−Ｘ線切断断面図であり、図４（ａ）は熱変形が起こる前の状態を示し、図４（ｂ）は熱変形が起こった状態を示す。熱変形が起こった場合、反射板１０の体積が変化し、体積変化による力がミシン目１４に加わるため、ミシン目１４の空間体積が変化する。
【００３２】
一方、クリップ２０が取付けられている部分では、溝１２の空間体積はあまり変化しない。そのため、クリップ２０の取付部にミシン目１４を設けた場合に生じていた、熱により変形しようとする力がミシン目１４部分に蓄積されて増加した場合に、ミシン目１４の空間体積が変化して反射板１０又はクリップ２０が歪み、歪みによるきしみ音などの異音が発生するという問題は生じない。
【００３３】
上述した実施の形態においては、主にクリップ２０の取付部の曲折部に溝１２を形成する場合を例にして説明したが、溝１２の形成は反射板１０の任意位置とすることが可能である。例えば反射板１０の両短辺を固定具で支持する場合は、反射板１０の両短辺付近の曲折部に溝１２を形成することが可能である。図５及び図６は本発明に係る反射板の他の例を示す斜視図である。図５の例では、反射板１１のクリップ２０取付部及び短辺部分の曲折部に溝１２が形成されている。また、図６に示すように、反射板１０の曲折部にミシン目を形成せずに、全体に溝１２を形成することも可能である。
【００３４】
上述した各実施の形態においては液晶表示パネルを例にして説明したが、本発明の反射板を用いたバックライトは任意の装置に用いることが可能である。また、本発明の反射板は光を反射させる任意の器具に用いることが可能である。
【図面の簡単な説明】
【００３５】
【図１】本発明に係る反射板の例を示す斜視図である。
【図２】反射板の要部拡大断面図である。
【図３】反射板を備えるバックライトを用いた液晶表示装置の要部構成を示す模式図である。
【図４】図１のＸ−Ｘ線切断断面図である。
【図５】本発明に係る反射板の他の例を示す斜視図である。
【図６】本発明に係る反射板の他の例を示す斜視図である。
【図７】従来の反射板の例を示す斜視図である。
【図８】図７のＹ−Ｙ線切断断面図である。
【符号の説明】
【００３６】
１０、１１、４０  反射板
１２  溝
１４  ミシン目
１６  貫通孔
２０  クリップ
２２  取付突起
３０  シャーシ
３２  蛍光管
３４  拡散板
３６  液晶パネル
【図１】
2007073374.tif 000003
【図２】
2007073374.tif 000004
【図３】
2007073374.tif 000005
【図４】
2007073374.tif 000006
【図５】
2007073374.tif 000007
【図６】
2007073374.tif 000008
【図７】
2007073374.tif 000009
【図８】
2007073374.tif 000010